(57)【特許請求の範囲】
【請求項１】
上部中央に第１の開口を有するケーシングと、
駆動装置により回転駆動される回転体であって、平行な２枚の円板を上下に有し、前記両円板間の周縁部に複数の羽根板が内側から外側へ延びる状態で配設されてなり、上側円板の中央部には回転軸を中心とする第２の開口が形成され、前記第２の開口が前記第１の開口と同心円状となるよう前記ケーシング内に略水平状態に配置される粉砕部材と、
前記ケーシング上に配設されるとともに吸引装置に接続されてなり、前記ケーシング内と前記第１の開口を介して連通する排出筒と、
前記排出筒を上下方向に貫通して前記第１の開口から前記ケーシング内に伸延し、前記第２の開口から前記粉砕部材の内部に先端を挿入して配設される供給管と、を備え、
前記供給管から前記駆動装置により回転駆動される前記粉砕部材の内部に被粉砕物を供給し、該被粉砕物を前記羽根板により粉砕しながら前記粉砕部材の外周側方へ送り出し、前記粉砕部材において粉砕され、前記ケーシングの上部下面と前記粉砕部材の前記上側円板との間隙を前記ケーシングの中心側へ向けて移動する粉砕物を前記吸引装置の作用により前記ケーシングの前記第１の開口から前記排出筒を介して排出する粉砕機であって、
前記ケーシングの上部下面に、前記粉砕部材の前記上側円板との間隙を狭める環状の突部を垂設し、
前記粉砕部材の前記第２の開口を、前記ケーシングの上部下面に垂設される前記環状の突部よりも大径とすることを特徴とする粉砕機。
【請求項２】
上部中央に第１の開口を有するケーシングと、
駆動装置により回転駆動される回転体であって、平行な２枚の円板を上下に有し、前記両円板間の周縁部に複数の羽根板が内側から外側へ延びる状態で配設されてなり、上側円板の中央部には回転軸を中心とする第２の開口が形成され、前記第２の開口が前記第１の開口と同心円状となるよう前記ケーシング内に略水平状態に配置される粉砕部材と、
前記ケーシング上に配設されるとともに吸引装置に接続されてなり、前記ケーシング内と前記第１の開口を介して連通する排出筒と、
前記排出筒を上下方向に貫通して前記第１の開口から前記ケーシング内に伸延し、前記第２の開口から前記粉砕部材の内部に先端を挿入して配設される供給管と、を備え、
前記供給管から前記駆動装置により回転駆動される前記粉砕部材の内部に被粉砕物を供給し、該被粉砕物を前記羽根板により粉砕しながら前記粉砕部材の外周側方へ送り出し、前記粉砕部材において粉砕され、前記ケーシングの上部下面と前記粉砕部材の前記上側円板との間隙を前記ケーシングの中心側へ向けて移動する粉砕物を前記吸引装置の作用により前記ケーシングの前記第１の開口から前記排出筒を介して排出する粉砕機であって、
前記粉砕部材の前記第２の開口を、前記ケーシングの前記第１の開口よりも大径とすることを特徴とする粉砕機。
【請求項３】
前記供給管の下部に、前記粉砕部材の内部に供給される被粉砕物を外周方向へ案内する環状の案内部を設ける請求項１又は２記載の粉砕機。
【請求項４】
前記ケーシングの内周面に、前記粉砕部材の外周側方へ送り出された被粉砕物が衝突する凹凸を形成する請求項１乃至３のいずれかに記載の粉砕機。
【発明の詳細な説明】
【技術分野】
【０００１】
本発明は、穀物等の食品や製薬等を粉砕する粉砕機に関する。
【背景技術】
【０００２】
従来、穀物を微粉砕する穀物微粉砕装置が知られている（特許文献１）。
【０００３】
特許文献１に記載された装置は、ケーシング内に配置され旋回気流を発生するための回転体と、前記ケーシングの上部に取り付けられると共に前記回転体の回転中心軸を中心とするほぼ円形状の調整口を有する調整部材と、前記調整口に下端部が挿入されて前記ケーシング内に穀物を供給する管体を備える。
【０００４】
前記特許文献１に記載された装置によれば、前記管体に投入された穀物が前記ケーシング内に導入され、前記回転体の回転動作により微粉砕されて、微粉体が前記調整口から前記回転体の回転動作により発生した旋回気流に乗って前記ケーシング外に放出される。
【０００５】
ところで、前記特許文献１に記載された装置は、旋回気流を発生させるためにプロペラ状の回転体を備えるものであり、前記ケーシング内に供給された穀物が前記回転体に衝突して跳ね上がり、粉砕されないまま機外に排出されてしまう懸念がある。
【先行技術文献】
【特許文献】
【０００６】
【特許文献１】特許第３８１３６０５号公報
【発明の概要】
【発明が解決しようとする課題】
【０００７】
そこで、本発明は、穀物等の食品や製薬等の被粉砕物を確実に粉砕することができる粉砕機を提供することを目的とする。
【課題を解決するための手段】
【０００８】
上記目的を達成するため、本発明は、
上部中央に第１の開口を有するケーシングと、
駆動装置により回転駆動される回転体であって、平行な２枚の円板を上下に有し、前記両円板間の周縁部に複数の羽根板が内側から外側へ延びる状態で配設されてなり、上側円板の中央部には回転軸を中心とする第２の開口が形成され、前記第２の開口が前記第１の開口と同心円状となるよう前記ケーシング内に略水平状態に配置される粉砕部材と、
前記ケーシング上に配設されるとともに吸引装置に接続されてなり、前記ケーシング内と前記第１の開口を介して連通する排出筒と、
前記排出筒を上下方向に貫通して前記第１の開口から前記ケーシング内に伸延し、前記第２の開口から前記粉砕部材の内部に先端を挿入して配設される供給管と、を備え、
前記供給管から前記駆動装置により回転駆動される前記粉砕部材の内部に被粉砕物を供給し、該被粉砕物を前記羽根板により粉砕しながら前記粉砕部材の外周側方へ送り出し、前記粉砕部材において粉砕され、前記ケーシングの上部下面と前記粉砕部材の前記上側円板との間隙を前記ケーシングの中心側へ向けて移動する粉砕物を前記吸引装置の作用により前記ケーシングの前記第１の開口から前記排出筒を介して排出する粉砕機であって、
前記ケーシングの上部下面に、前記粉砕部材の前記上側円板との間隙を狭める環状の突部を垂設し、
前記粉砕部材の前記第２の開口を、前記ケーシングの上部下面に垂設される前記環状の突部よりも大径とすることを特徴とする。
【００１０】
また、上記目的を達成するため、本発明は、
上部中央に第１の開口を有するケーシングと、
駆動装置により回転駆動される回転体であって、平行な２枚の円板を上下に有し、前記両円板間の周縁部に複数の羽根板が内側から外側へ延びる状態で配設されてなり、上側円板の中央部には回転軸を中心とする第２の開口が形成され、前記第２の開口が前記第１の開口と同心円状となるよう前記ケーシング内に略水平状態に配置される粉砕部材と、
前記ケーシング上に配設されるとともに吸引装置に接続されてなり、前記ケーシング内と前記第１の開口を介して連通する排出筒と、
前記排出筒を上下方向に貫通して前記第１の開口から前記ケーシング内に伸延し、前記第２の開口から前記粉砕部材の内部に先端を挿入して配設される供給管と、を備え、
前記供給管から前記駆動装置により回転駆動される前記粉砕部材の内部に被粉砕物を供給し、該被粉砕物を前記羽根板により粉砕しながら前記粉砕部材の外周側方へ送り出し、前記粉砕部材において粉砕され、前記ケーシングの上部下面と前記粉砕部材の前記上側円板との間隙を前記ケーシングの中心側へ向けて移動する粉砕物を前記吸引装置の作用により前記ケーシングの前記第１の開口から前記排出筒を介して排出する粉砕機であって、
前記粉砕部材の前記第２の開口を、前記ケーシングの前記第１の開口よりも大径とすることを特徴とする。
【００１２】
本発明の粉砕機は、
前記供給管の下部に、前記粉砕部材の内部に供給される被粉砕物を外周方向へ案内する環状の案内部を設けることが好ましい。
【００１３】
本発明の粉砕機は、
前記ケーシングの内周面に、前記粉砕部材の外周側方へ送り出された被粉砕物が衝突する凹凸を形成することが好ましい。
【発明の効果】
【００１４】
本発明の粉砕機によれば、被粉砕物が前記供給管の先端開口から確実に前記粉砕部材の内部に供給され、前記粉砕部材において確実に粉砕されるため、前記被粉砕物が粉砕されないまま機外に排出されることがなく、穀物等の食品や製薬等の被粉砕物を確実に粉砕することができる。
【００１５】
本発明の粉砕機は、前記ケーシングの上部下面に、前記粉砕部材の前記上側円板との間隙を狭める環状の突部を垂設するので、前記粉砕部材において粉砕され、前記ケーシングの上部下面と前記粉砕部材の前記上側円板との間隙を前記ケーシングの中心側へ向けて移動する粉砕物の一部が、前記突部により移動を阻止されることとなる。
その際、粉砕が不十分な粗い粉砕物は、前記突部と前記ケーシング内周面の間に滞留し、粉砕物同士の衝突によりさらに粉砕される。
また、細かく粉砕された粉砕物は、前記吸引装置の作用により前記突部の下端を迂回して前記ケーシングの前記第１の開口から前記排出筒を介して排出される。
したがって、本発明の粉砕機において、前記ケーシングの上部下面に、前記粉砕部材の前記上側円板との間隙を狭める環状の突部を垂設するので、細かく粉砕された粉砕物を得ることができる。
【００１６】
本発明の粉砕機は、前記粉砕部材の前記第２の開口を、前記ケーシングの上部下面に垂設される環状の突部よりも大径とするので、粉砕が不十分な粗い粉砕物が、前記突部と前記ケーシング内周面の間に滞留し、粉砕物同士の衝突によりさらに粉砕される一方で、前記粗い粉砕物の一部が、前記粉砕部材の内部に還流されることとなり前記粉砕部材において再度粉砕されるため、細かく粉砕された粉砕物をより効果的に得ることができる。
【００１７】
本発明の粉砕機は、前記粉砕部材の前記第２の開口を、前記ケーシングの前記第１の開口よりも大径とするので、粉砕が不十分で粗く重い粉砕物が、当該粉砕物の自重と前記粉砕部材における前記各羽根板の作用による空気流との影響とが相俟って、前記粉砕部材の内部に還流されることとなり前記粉砕部材において再度粉砕されるため、細かく粉砕された粉砕物を得ることができる。
【００１８】
本発明の粉砕機は、前記供給管の下部に、前記粉砕部材の内部に供給される被粉砕物を外周方向へ案内する環状の案内部を設けることとすれば、前記被粉砕物を前記粉砕部材の前記羽根板間に効果的に送り込むことができるため、被粉砕物を効率よく粉砕することができる。
また、本発明の粉砕機は、前記供給管の下部に、前記環状の案内部を設けることとすれば、被粉砕物の跳ね上がりを防止することで、前記被粉砕物が粉砕されないまま機外に排出されることを確実に防止できる。
【００１９】
本発明の粉砕機は、前記ケーシングの内周面に、前記粉砕部材の外周側方へ送り出された被粉砕物が衝突する凹凸を形成することとすれば、前記粉砕部材の外周側方へ送り出された被粉砕物が、前記凹凸面に衝突し抵抗を受けてさらに粉砕されるため、被粉砕物を効率よく微粉砕することができる。
【図面の簡単な説明】
【００２０】
【図１】本発明の実施の形態における粉砕機の斜視図。
【図２】図１の粉砕機の正面図。
【図３】図２の一部断面図。
【図４】粉砕部の拡大図。
【図５】粉砕部材の斜視図。
【図６】粉砕部の変形例の説明図。
【図７】粉砕部の他の変形例の説明図。
【発明を実施するための形態】
【００２１】
本発明の実施の形態を図面に基づいて説明する。
図１は本発明の実施の形態における粉砕機の斜視図を示す。図２は図１の粉砕機の正面図を示す。図３は図２の粉砕機の一部断面図を示す。
【００２２】
本発明の実施の形態における粉砕機１は、粉砕部２と駆動部３を備える。
前記粉砕部２は、基台４１上に設置されるケーシング２１、該ケーシング２１上に配設される排出筒２２、該排出筒２２に接続される排出管２３を備える。
また、前記粉砕部２は、前記ケーシング２１内に略水平状態に配置される多翼ファン形状の粉砕部材２４、前記粉砕部材２４の内部に穀物等の原料Ｒを供給する供給管２５を備える。
【００２３】
前記駆動部３は、基台４２上に設置されるモータ３１を備える。
前記モータ３１は、図示しないベルトを介して前記粉砕部材２４を回転駆動する。
【００２４】
図４は図３の要部拡大図であって粉砕部の拡大図を示す。図５は粉砕部材の斜視図を示す。
前記ケーシング２１は、上部中央に円形状の排出用開口Ａを有する。
前記排出筒２２は、前記ケーシング２１上に配設され、前記排出用開口Ａを介して前記ケーシング２１内と連通する。また、前記排出筒２２は、前記排出管２３を介して図示しない吸引ファンに接続される。
【００２５】
前記粉砕部材２４は、平行な２枚の円板２４１，２４２を上下に有する。前記両円板２４１，２４２間の外周縁部には、半径方向に対し当該粉砕部材２４の回転方向側に所定の角度だけ傾斜する状態で複数の羽根板２４３が周方向に間隔を空けて配設される。前記上側の円板２４１の中央部であって前記各羽根板２４３よりも中心側には、当該粉砕部材２４の回転軸Ｃを中心とする円形状の供給用開口Ｂが形成される。
前記粉砕部材２４は、前記供給用開口Ｂが前記排出用開口Ａと同心円状となるよう、前記ケーシング２１内に配置される。
【００２６】
ここで、前記各羽根板２４３は、前記両円板２４１，２４２に平行な断面形状を直線形状とする他、湾曲形状やその他の任意の形状とすることができる。
【００２７】
前記供給管２５は、円筒状であって、その中心軸が前記粉砕部材２４の回転軸Ｃ上に位置するよう、前記排出筒２２を上下に貫通して前記排出用開口Ａから前記ケーシング２１内に延伸し、前記供給用開口Ｂから前記粉砕部材２４の内部に先端を挿入して配設される。
【００２８】
前記ケーシング２１の前記排出用開口Ａ、前記粉砕部材２４の前記供給用開口Ｂ、及び前記供給管２５は、平面視において前記粉砕部材２４の回転軸Ｃを中心として同心円状に配置されている。
【００２９】
本発明の実施の形態における粉砕機において、穀物等の原料Ｒは、前記供給管２５の先端開口から前記モータ３１により鉛直方向の回転軸Ｃを中心に高速で回転駆動される前記粉砕部材２４の内部に供給される。
【００３０】
前記粉砕部材２４の内部に供給された原料Ｒは、当該粉砕部材２４の回転による遠心力により外周側へ移動するが、その際、前記各羽根板２４３により強い衝撃を受けて粉砕されながら当該粉砕部材２４の外周側方へ送り出される。
【００３１】
そして、前記粉砕部材２４の外周側方へ送り出された粉砕物は、前記各羽根板２４３による送風作用により前記ケーシング２１の内周面に沿って上昇し、前記ケーシング２１の上部下面と前記粉砕部材２４の前記上側円板２４１上面との間隙を前記ケーシング２１の中心側へ向けて移動し、前記吸引ファンの吸引作用により前記排出用開口Ａから前記排出筒２２及び前記排出管２３を介して排出される。
【００３２】
本発明の実施の形態における粉砕機によれば、穀物等の原料Ｒが、前記供給管２５の先端開口から確実に前記粉砕部材２４の内部に供給され、前記粉砕部材２４において確実に粉砕されるため、前記原料Ｒが粉砕されないまま機外に排出されることがなく、原料Ｒを確実に粉砕することができる。
【００３３】
なお、本発明の実施の形態において、前記各羽根板２４３は、半径方向に対し回転方向に所定の角度を持たせた状態で配設されるものが好ましいが、前記両円板２４１，２４２間において内側から外側へ延びる状態で配設されるものであればよく、半径方向に沿って放射状に配設されるものや、半径方向に対し反回転方向に所定の角度を持たせた状態で配設されるものでもよい、
【００３４】
図６は粉砕部の変形例の説明図を示す。
本発明の実施の形態において、前記ケーシング２１の上部下面には、前記粉砕部材２４の前記上側円板２４１上面との間隙を狭める円環状の突壁２１１を垂設することができる。
【００３５】
前記ケーシング２１の上部下面に前記円環状の突壁２１１を垂設すれば、前記粉砕部材２４において粉砕され、前記ケーシング２１の上部下面と前記粉砕部材２４の上側円板２４１上面との間隙を前記ケーシング２１の中心側へ向けて移動する粉砕物の一部が、前記突壁２１１により移動を阻止されることとなる。
【００３６】
その際、粉砕が不十分な粗い粉砕物は、前記突壁２１１と前記ケーシング２１の内周面の間に滞留し、粉砕物同士の衝突によりさらに粉砕される。
また、細かく粉砕された粉砕物は、前記吸引ファンの吸引作用により前記突壁２１１の下端を迂回して前記排出用開口Ａから前記排出筒２２及び前記排出間２３を介して排出される。
【００３７】
したがって、本発明の実施の形態において、前記ケーシング２１の上部下面に、前記粉砕部材２４の前記上側円板２４１上面との間隙を狭める円環状の突壁２１１を垂設することとすれば、細かく粉砕された粉砕物を得ることができる。
【００３８】
また、本発明の実施の形態において、前記ケーシング２１の内周面には、上下方向に延びる板材からなる複数の抵抗板２４４を周方向に間隔を空けて配設することができる。
【００３９】
前記粉砕部材２４において粉砕された粉砕物は、前記各羽根板２４３の作用により前記ケーシング２１の内周面に沿って旋回するように前記粉砕部材２４の外周側方へ送り出される。
【００４０】
その際、前記ケーシング２１の内周面に、上下方向に延びる複数の抵抗板２４４を周方向に間隔を空けて配設することとすれば、前記粉砕部材２４の外周側方へ送り出される粉砕物は、前記各抵抗板２４４に衝突し抵抗を受けて、さらに粉砕されながら前記ケーシング２１の内周面に沿って上昇することとなる。
【００４１】
したがって、本発明の実施の形態において、前記ケーシング２１の内周面に、上下方向に延びる複数の抵抗板２４４を周方向に間隔を空けて配設することとすれば、原料Ｒを効率よく微粉砕することができる。
【００４２】
なお、前記ケーシング２１の内周面には、上下方向に延びる複数の抵抗板２４４を周方向に間隔を空けて配設することが好ましいが、前記粉砕部材２４の外周側方へ送り出された粉砕物が衝突し抵抗を受けるような凹凸が形成されていればよい。
【００４３】
図７は粉砕部の他の変形例の説明図を示す。
本発明の実施の形態において、前記粉砕部材２４の前記供給用開口Ｂの直径ｄ２を、前記ケーシング２１の前記排出用開口Ａの直径ｄ１よりも大きなものとすることができる。
【００４４】
前記粉砕部材２４の前記供給用開口Ｂの直径ｄ２を、前記ケーシング２１の前記排出用開口Ａの直径ｄ１よりも大きなものとすれば、粉砕が不十分で、粗く重い粉砕物が、当該粉砕物の自重と前記粉砕部材２４における前記各羽根板２４３の作用による空気流との影響とが相俟って、前記粉砕部材２４の内部に還流されることとなり、前記粉砕部材２４において再度粉砕される。
【００４５】
したがって、本発明の実施の形態において、前記粉砕部材２４の前記供給用開口Ｂの直径ｄ２を、前記ケーシング２１の前記排出用開口Ａの直径ｄ１よりも大きなものとすることによっても、細かく粉砕された粉砕物を得ることができる。
【００４６】
さらに、前記ケーシング２１の上部下面に、前記粉砕部材２４の前記上側円板２４１上面との間隙を狭める円環状の突壁２１１を垂設する場合において、前記粉砕部材２４の前記供給用開口Ｂの直径ｄ２を、前記ケーシング２１の上部下面に垂設される円環状の突壁２１１の直径よりも大きなものとすることができる。
【００４７】
前記ケーシング２１の上部下面に、円環状の突壁２１１を垂設する場合において、前記粉砕部材２４の前記供給用開口Ｂの直径ｄ２を、前記ケーシング２１の上部下面に垂設される円環状の突壁２１１の直径よりも大きなものとすれば、粉砕が不十分な粗い粉砕物が、前記突壁２１１と前記ケーシング２１の内周面の間に滞留し、粉砕物同士の衝突によりさらに粉砕される一方で、前記粗い粉砕物の一部が、前記粉砕部材２４の内部に還流されることとなり、前記粉砕部材２４において再度粉砕される。
【００４８】
したがって、前記ケーシング２１の上部下面に、前記粉砕部材２４の上側円板２４１上面との間隙を狭める円環状の突壁２１１を垂設する場合において、前記粉砕部材２４の前記供給用開口Ｂの直径ｄ２を、前記ケーシング２１の上部下面に垂設される円環状の突壁２１１の直径よりも大きなものとすれば、細かく粉砕された粉砕物をより効果的に得ることができる。
【００４９】
なお、本発明の実施の形態において、前記粉砕部２の変形例に関する各技術は、単独で用いることもできるし、任意に組み合わせて用いることもできる。
【００５０】
本発明の実施の形態において、前記供給管２５の下部に、前記粉砕部材２４の内部に供給された原料Ｒを外周方向へ案内するフランジ状の案内部を設けることもできる。
前記供給管２５の下部に、前記フランジ状の案内部を設けることとすれば、前記原料Ｒを前記粉砕部材２４の各羽根板２４３間に効果的に送り込むことができるため、原料Ｒを効率よく粉砕することができる。
【００５１】
また、本発明の実施の形態において、前記供給管２５の下部に、前記フランジ状の案内部を設けることとすれば、原料Ｒの跳ね上がりを防止することで、前記原料Ｒが粉砕されないまま機外に排出されることを確実に防止できる。
【００５２】
本発明は、上記実施の形態に限るものでなく、発明の範囲を逸脱しない限りにおいてその構成を適宜変更できることはいうまでもない。
【産業上の利用可能性】
【００５３】
本発明の粉砕機は、穀物等の食品や製薬等の被粉砕物を確実に粉砕することができるため、実用性が高い。
【符号の説明】
【００５４】
１      粉砕機
２      粉砕部
２１      ケーシング
２１１      突壁
２２      排気筒
２３      排出管
２４      粉砕部材
２４１      上側円板
２４２      下側円板
２４３      羽根板
２４４      抵抗板
２５      供給管
３      駆動部
３１      モータ
４１      基台
４２      基台
Ａ      排出用開口（第１の開口）
Ｂ      供給用開口（第２の開口）
Ｃ      回転軸
ｄ１      排出用開口の直径
ｄ２      供給用開口の直径
Ｒ      原料
【図１】
0006776613.tif 000002
【図２】
0006776613.tif 000003
【図３】
0006776613.tif 000004
【図４】
0006776613.tif 000005
【図５】
0006776613.tif 000006
【図６】
0006776613.tif 000007
【図７】
0006776613.tif 000008